(57)【要約】【課題】遊技者を撮影しその画像を表示する撮影・表示機能を備えた遊技機において、撮影手段の温度上昇を抑え誤作動や撮影画像の画質低下を防止する。【解決手段】遊技者を撮影するＣＭＯＳカメラ２００をフレキシブル基板２３０の一端部に実装し、フレキシブル基板２３０の他端部に設けた接続部２３２は特別図柄表示装置１０６の画像処理制御基板１６０に接続する。また、フレキシブル基板２３０の上面２３０Ａには熱伝導率の高い材料により形成したヒートシンク２８０の下面２８０Ｂを固着し、ヒートシンク２８０の上面２８０Ａはカメラ取付部材２３４の空洞部２４２の天井面２４２Ａに固着する。画像処理制御基板１６０が高温となりフレキシブル基板２３０へ伝導された熱は、ヒートシンク２８０及びカメラ取付部材２３４から放散されるため、ＣＭＯＳカメラ２００の温度上昇が抑えられる。【選択図】        図１０
2004267427.tif 000002
【特許請求の範囲】
【請求項１】
遊技者を撮影する撮影手段と、
前記撮影手段により撮影された画像を画像表示手段に表示させる表示制御手段と、
前記撮影手段と前記表示制御手段とを電気的に接続する配線と、
前記撮影手段及び前記配線の少なくとも何れか一方に取り付けられ、熱伝導率の高い材料により形成されて前記表示制御手段から伝導される熱を放散する放熱部材と、
を有することを特徴とする遊技機。
【請求項２】
前記撮影手段は前記画像表示手段に取付部材を介して取り付けられるとともにこの取付部材には前記放熱部材が接触され、前記取付部材は、放熱部材から伝導される熱を放散する放熱部を備えることを特徴とする請求項１記載の遊技機。
【請求項３】
前記配線は薄板状で屈曲自在とされたフレキシブル基板とされ、このフレキシブル基板に取り付けられる前記放熱部材はフレキシブル基板の表面に面接触して固着されることを特徴とする請求項１又は請求項２記載の遊技機。
【請求項４】
前記放熱部材は、前記フレキシブル基板に設けられた導電パターンと交差するフレキシブル基板の幅方向に亘って前記表面と面接触していることを特徴とする請求項３記載の遊技機。
【発明の詳細な説明】
【０００１】
【発明の属する技術分野】
本発明は、遊技者を撮影しその画像を表示する撮影・表示機能を備えた遊技機に関する。
【０００２】
【従来の技術】
パチンコ機やパチスロ機等の遊技機では、遊技状況の変化等に応じて遊技者を撮影しその画像を遊技に関連付けて表示する撮影・表示機能を備えたものが種々提案されている。例えば、パチンコ機においては、遊技盤のほぼ中央に配置される特別図柄表示装置の上方にＣＣＤカメラを搭載し、そのカメラで撮影した遊技者の画像を特別図柄表示装置のディスプレイ画面に表示する技術が提案されている（例えば、特許文献１参照）。
【０００３】
【特許文献１】
特開平９−１５５０３２号公報  （第３−４頁、第５図、第６図、第９図）
【０００４】
【発明が解決しようとする課題】
しかしながら、上述した特許文献１に示される構成では、カメラを制御する制御基板が動作時に高温になると、その熱が制御基板とカメラを接続する配線を介しカメラへ伝導されてカメラは高温化する。そのため、カメラは誤作動しやすくなり、また撮影画像の画質低下を招く問題がある。
【０００５】
本発明は上記事実を考慮して、遊技者を撮影しその画像を表示する撮影・表示機能を備えた遊技機において、撮影手段の温度上昇を抑え誤作動や撮影画像の画質低下を防止した遊技機を提供することを課題とする。
【０００６】
【課題を解決するための手段】
上記目的を達成するために請求項１に記載の発明は、遊技者を撮影する撮影手段と、前記撮影手段により撮影された画像を画像表示手段に表示させる表示制御手段と、前記撮影手段と前記表示制御手段とを電気的に接続する配線と、前記撮影手段及び前記配線の少なくとも何れか一方に取り付けられ、熱伝導率の高い材料により形成されて前記表示制御手段から伝導される熱を放散する放熱部材と、を有することを特徴としている。
【０００７】
請求項１に記載の発明では、撮影手段によって撮影された遊技者の画像は、表示制御手段により制御される画像表示手段に表示される。この画像表示手段に表示された自分の画像を視認することで遊技者の遊技に対する興趣は高められ、よって、遊技性の高い遊技機が得られる。
【０００８】
また、撮影手段と表示制御手段とは配線によって電気的に接続し、配線を介して撮影画像等の電気信号を伝送するとともに、撮影手段及び配線の少なくとも何れか一方には、熱伝導率の高い材料により形成した放熱部材を取り付ける。この撮影手段に取り付けた放熱部材により、撮影手段の熱が放散されて撮影手段は直接冷却され、また、配線に取り付けた放熱部材により、配線の熱が放散されて配線を介し撮影手段へ伝導される熱量が減少し、撮影手段は間接的に冷却される。したがって、撮影手段の温度上昇が抑えられ誤作動や撮影画像の画質低下を防止することができる。
【０００９】
請求項２に記載の発明は、請求項１記載の遊技機において、前記撮影手段は前記画像表示手段に取付部材を介して取り付けられるとともにこの取付部材には前記放熱部材が接触され、前記取付部材は、放熱部材から伝導される熱を放散する放熱部を備えることを特徴としている。
【００１０】
請求項２に記載の発明では、撮影手段を画像表示手段に取り付ける取付部材に放熱部材を接触させることにより、放熱部材の熱が取付部材へ伝導可能となる。この取付部材に、例えば、熱伝導率の高い材料で形成した高熱伝導率部、あるいは、表面積を大きくした大表面積部等による放熱部を設け、取付部材から伝導される熱を放散する。これにより、撮影手段の放熱は促進され冷却効果が高められる。
【００１１】
請求項３に記載の発明は、請求項１又は請求項２記載の遊技機において、前記配線は薄板状で屈曲自在とされたフレキシブル基板とされ、このフレキシブル基板に取り付けられる前記放熱部材はフレキシブル基板の表面に面接触して固着されることを特徴としている。
【００１２】
請求項３に記載の発明では、配線が、薄板状で屈曲自在とされたフレキシブル基板である場合、このフレキシブル基板に取り付ける放熱部材は、フレキシブル基板の表面に面接触させて固着する。このように、フレキシブル基板と放熱部材を面接触させることで、フレキシブル基板から放熱部材へ伝導される熱の熱伝導効率を向上することができる。
【００１３】
請求項４に記載の発明は、請求項３記載の遊技機において、前記放熱部材は、前記フレキシブル基板に設けられた導電パターンと交差するフレキシブル基板の幅方向に亘って前記表面と面接触していることを特徴としている。
【００１４】
請求項４に記載の発明では、フレキシブル基板に設けられた、銅箔等の導電材料からなる導電パターンは高い熱伝導性を有するため、動作時に高温となった表示制御手段からフレキシブル基板へ伝導された熱は、その多くが導電パターンによって伝導される。そのため、放熱部材を、フレキシブル基板の導電パターンと交差するフレキシブル基板の幅方向に亘ってフレキシブル基板の表面と面接触させることにより、導電パターンに沿って伝導される熱は放熱部材に効率よく吸収・放散され、フレキシブル基板の冷却効果が向上する。したがって、フレキシブル基板を介して撮像手段へ伝導される熱量を更に減少させることができ、撮像手段の温度上昇幅を低く抑えることができる。
【００１５】
【発明の実施の形態】
以下、図面を参照して本発明の実施の形態について説明する。
【００１６】
［第１の実施形態］
（パチンコ機の構成）
図１及び図２には、本発明の第１の実施形態に係るパチンコ機が示されている。図１及び図２に示すように、パチンコ機１０は、パチンコ機１０の外郭を構成するとともにパチンコホールの島設備に設置される矩形状の外枠１２を備えている。外枠１２の前面には矩形額縁状の内枠１４が配置されており、内枠１４は、外枠１２に設けられた一対のヒンジ部１６、１８に左側端部が軸支されて開閉可能に取り付けられている。また外枠１２の前面下部には、化粧パネルとなる合成樹脂製の下飾り２０が取り付けられている。
【００１７】
内枠１４の前面上部には、ガラス板２２を装着したガラスフレーム２４を窓部に備えるガラス枠２６が配置されており、ガラス枠２６は左側端部が内枠１４に軸支されて開閉可能に取り付けられている。また、ガラスフレーム２４に装着されたガラス板２２は、図２の紙面奥行き方向に所定の間隔で互いに平行に配置された一対のガラス板からなる二重構造となっている。この内枠１４の上部におけるガラス枠２６裏面側には、交換可能とされた遊技盤１００がセットされており、遊技盤１００は、ガラス枠２６を内枠１４に閉塞した状態でガラス枠２６（ガラス板２２）に覆われるようになっている。
【００１８】
図２に示すように、パチンコ機１０の正面となるガラス枠２６の前面には、賞球表示灯や完了表示灯等としての機能を有する複数の表示灯８０と、賞球払出エラー表示灯８２及び払出状態エラー表示灯８４とがガラス板２２（遊技盤１００の遊技領域）を取り囲むように配列されており、さらに左上隅近傍と右側端上部には、遊技の効果音をステレオ出力するスピーカー８６、８８が配設されている。
【００１９】
また、内枠１４の前面下部には、遊技球を貯える球皿２８を備えた一体皿ユニット３０が配置されている。この一体皿ユニット３０も左側端部が内枠１４に軸支されて開閉可能に取り付けられており、一体皿ユニット３０の前面には、図２に示すように、左側下部に灰皿３２が配置され右側端部には打球の飛距離を調整するための発射ハンドル３４が取り付けられている。
【００２０】
一体皿ユニット３０の裏面には、発射ハンドル３４の基端部がネジ止めされてその基端固定部分を補強する板金製の発射ハンドル補強板３６と、球皿２８に貯められた遊技球が送り込まれる球送り装置３８とが取り付けられている。また、内枠１４の下部における一体皿ユニット３０裏面側には、遊技盤１００の左下に発射装置４０が配置され球皿２８の後方に位置して貯球タンク４２が取り付けられており、これらの発射装置４０及び貯球タンク４２は一体皿ユニット３０に覆われるようになっている。
【００２１】
内枠１４の裏面側には、貯球タンク４２の左側略上方に位置して賞球払出装置（図示省略）が設けられており、賞球払出装置から払い出された賞球は貯球タンク４２の上面左端部に形成されたタンク入口（図示省略）を介してタンク内へ落下されるようになっている。また、貯球タンク４２は、タンク底面が右側へ下り傾斜しており、その傾斜方向下流側となる前面右側端部にはタンク出口４４が形成されている。このタンク出口４４は、一体皿ユニット３０に形成された賞球排出口４６と対応して配置されており、賞球排出口４６は一体皿ユニット３０の前面に設けられた球皿２８と連通している。これにより、賞球払出装置からタンク内へ払い出された賞球は、タンク底面上を上流側（左側）から下流側（右側）へ転動し、タンク出口４４を介して賞球排出口４６から球皿２８に排出される。
【００２２】
また、タンク出口４４と賞球排出口４６との各下方位置には、上下方向に移動可能とされたシャッター板４８、５０がそれぞれ設けられている。このシャッター板４８、５０は、図２に示すように一体皿ユニット３０が閉塞された状態では各々下方へ移動してタンク出口４４と賞球排出口４６とを連通させ、図１に示すように一体皿ユニット３０が開放されると各々上方へ移動して、シャッター板４８はタンク出口４４の下縁側を、シャッター板５０は賞球排出口４６の下縁側を塞ぐようになっている。これにより、一体皿ユニット３０を開放した際に球皿２８及び貯球タンク４２から遊技球（賞球）がこぼれ出さないようにされている。
【００２３】
一方、内枠１４裏面の右側端部には施錠装置５２が取り付けられている。施錠装置５２にはシリンダー錠（錠前）５４が設けられており、このシリンダー錠５４の鍵孔５６は内枠１４の前面から露出されている。また、施錠装置５２の上下端部近傍で、外枠１２の右内側面に設けられた一対の鍵受け部５８Ａ、５８Ｂと対応する位置には、後方へ突出された一対の内枠固定用フック６０Ａ、６０Ｂが設けられており、ガラス枠２６裏面の右側端部に取り付けられているガラス枠補強板６２に設けられた一対の鍵受け部６４Ａ、６４Ｂと対応する位置には、内枠１４に形成されたスリット６６Ａ、６６Ｂを通して前方へ突出された一対のガラス枠固定用フック６８Ａ、６８Ｂが設けられている。さらに、施錠装置５２の下方部で、一体皿ユニット３０裏面の発射ハンドル補強板３６に形成された一対の鍵受け開口部７０Ａ、７０Ｂと対応する位置には、内枠１４に形成されたスリット７２Ａ、７２Ｂを通して前方へ突出された一対の一体皿ユニット固定用フック７４Ａ、７４Ｂが設けられている。これにより、内枠１４を閉じた際は、内枠固定用フック６０Ａ、６０Ｂが鍵受け部５８Ａ、５８Ｂに係合して内枠１４は外枠１２に固定され、ガラス枠２６を閉じた際は、ガラス枠補強板６２の鍵受け部６４Ａ、６４Ｂがガラス枠固定用フック６８Ａ、６８Ｂに係合してガラス枠２６は内枠１４に固定される。一体皿ユニット３０を閉じた際は、発射ハンドル補強板３６の鍵受け開口部７０Ａ、７０Ｂが一体皿ユニット固定用フック７４Ａ、７４Ｂに係合して一体皿ユニット３０は内枠１４に固定される。
【００２４】
また、内枠固定用フック６０Ａ、６０Ｂ及びガラス枠固定用フック６８Ａ、６８Ｂは、シリンダー錠５４の鍵孔５６に図示しない鍵を差し込んで所定方向に回すことにより、係合状態がそれぞれ解除されて解錠されるようになっている。一体皿ユニット固定用フック７４Ａ、７４Ｂについては、ガラス枠２６を開放すると露出される施錠装置５２の解除レバー７６を押し下げることにより、一体皿ユニット固定用フック７４Ａ、７４Ｂが下方へスライドして鍵受け開口部７０Ａ、７０Ｂとの係合状態が解除されるようになっている。この施錠装置５２により、内枠１４は外枠１２に施錠され、ガラス枠２６は内枠１４に施錠されるとともに、一体皿ユニット３０は内枠１４にロックされて、それぞれ閉塞状態に固定される。
【００２５】
（遊技盤の構成）
図３に示すように、遊技盤１００は、装飾画（図示省略）を印刷した樹脂製シート状のセルが基板であるベニヤ板に貼着されてそのセルの表面が盤面１００Ａとなっている。盤面１００Ａの外周端部付近には、円弧状の外レール１０２及び内レール１０４とレール飾り１０５Ｌ、１０５Ｒとが取り付けられており、これらの外レール１０２及び内レール１０４とレール飾り１０５Ｌ、１０５Ｒとによって囲まれた円形状の領域は、遊技球が移動可能な遊技領域１０１とされている。
【００２６】
遊技領域１０１（盤面１００Ａ）のほぼ中央には、特別図柄表示装置１０６が配置されている。特別図柄表示装置１０６は液晶ディスプレイ（ＬＣＤ）を内蔵しており、そのディスプレイ画面１０８には特別図柄の抽選や各種演出等のアニメーションが表示される。また、特別図柄表示装置１０６の周囲は、図示のような略扇形状とされた大型の盤面飾り１０７によって装飾されており、特別図柄表示装置１０６の上方には、詳細については後述するカメラ（ＣＭＯＳカメラ２００）が配置され、特別図柄表示装置１０６の下方には始動口（スタート・チャッカー）１１０が配置されている。
【００２７】
始動口１１０には、遊技球を取り込みにくい閉塞状態（図３に示す状態）及び遊技球を取り込みやすい開放状態に変動可能な電動チューリップ１１１が設けられている。また、始動口１１０の下方には、遊技領域１０１の下端部付近に位置して変動入賞装置（特別電動役物）１１２が配設されている。
【００２８】
変動入賞装置１１２は、左右幅方向を長手とした矩形状の大入賞口（アタッカー）１１４を備え、大入賞口１１４内には通称「Ｖゾーン」と呼ばれる連続役物作動口（図示省略）が設けられている。大入賞口１１４は、開閉扉１１６が開放又は閉塞することによって開口又は閉口するようになっており、開閉扉１１６の開放時には、開閉扉１１６上に落下した遊技球が開閉扉１１６に案内されて大入賞口１１４へ入賞する。また、大入賞口１１４の下方には普通図柄表示装置１１７が配置され、大入賞口１１４の左右両側には入賞口１１８Ｌ、１１８Ｒが配設されている。
【００２９】
さらに、遊技領域１０１には、特別図柄表示装置１０６の左側に通過ゲート１２０が配置され、左右の下部側にはサイド飾り１２２Ｌ、１２２Ｒが配設されており、最下位置にアウト口１２４が設けられている。
【００３０】
なお、上述した役物や各種遊技部品が取り付けられている遊技領域１０１には、遊技領域１０１内を落下する遊技球を所定の経路に誘導する多数の遊技釘が打ち込まれているが、図３ではそれら遊技釘の図示を省略している。また、本実施形態のパチンコ機１０は、発射装置４０を遊技盤１００の左下に配置して遊技球を上方に発射する機種であり、従来機種に比べてアウト口１２４の位置を下げることにより遊技領域１０１が拡大されている。また、パチンコ機本体は、ガラス枠２６や一体皿ユニット３０等を備えるとともに遊技盤１００が搭載された内枠１４によって構成されており、それらの内枠１４、ガラス枠２６、及び一体皿ユニット３０等は全て樹脂成形品とされている。
【００３１】
（特別図柄表示装置及びカメラの構成）
次に、図６〜図１０を用いて特別図柄表示装置とカメラの構成について詳細に説明する。
【００３２】
図６〜図１０に示すように、本実施の形態では、特別図柄表示装置１０６の上部前方に、撮像デバイスとしてＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）イメージセンサを用いたＣＭＯＳカメラ２００が配置されている。
【００３３】
先ず、特別図柄表示装置１０６の構成から説明すると、特別図柄表示装置１０６は、ＬＣＤ２０２を覆って保護する板金製の筐体２０４を備えている。筐体２０４は、前面に矩形状の窓部２０６が形成され後面が開口した矩形箱状とされてしており、上面（上壁）には、筐体２０４内の熱を外部へ逃がす放熱用の小孔２０８が多数形成されている。
【００３４】
また、上壁及び下壁の各後端部近傍には、特別図柄表示装置１０６を遊技盤１００に取り付けるための取付片２１０が２個づつ計４個曲げ形成されており（図７及び図１０参照）、左側壁及び右側壁の各後端部近傍には、矩形孔２１２が２個づつ計４個形成されている（左側壁の矩形孔２１２は図示せず）。さらに、前壁の左右側端部には、左右の各側壁と前壁とを一部切り欠いて後方へ略直角に曲げ形成された一対の曲げ部２１４が設けられている。これらの曲げ部２１４は、それぞれ筐体２０４の高さ方向略中央に位置して対向しており、また、左右の各側壁よりも所定寸法内方へオフセットされている。
【００３５】
この筐体２０４内に配置されたＬＣＤ２０２は、図１０に示すように、ディスプレイ画面１０８が筐体２０４の前壁後面に密着されるとともに、ＬＣＤ２０２の上下端面が筐体２０４の上壁及び下壁の各内面に略密着されて上下方向の位置決めがなされ、ＬＣＤ２０２の左右側端面が筐体２０４の曲げ部２１４に略接触されて左右方向の位置決めがなされ、ガタ付かないようにして筐体２０４内の前側に取り付けられている。また、ディスプレイ画面１０８は、筐体２０４の窓部２０６から露出されて前方から視認できるようになっている。
【００３６】
ＬＣＤ２０２の後面には、基板取付部材２１６が取り付けられている。この基板取付部材２１６には、複数設けられた支柱２１８を介して画像処理制御基板１６０が取り付けられており、画像処理制御基板１６０は、筐体２０４の後端部近傍に位置して筐体２０４の後面開口を略閉塞するように配置され、ＬＣＤ２０２とは図示しないケーブルによって電気的に接続されている。
【００３７】
また、筐体２０４の後部には、画像処理制御基板１６０を保護する基板ケース２２０が取り付けられている。基板ケース２２０は、透明樹脂材料による成形品で、前面が筐体２０４の後面開口と対応する大きさに開口された矩形箱状とされており、上壁及び下壁の各前端部には、筐体２０４の取付片２１０と対応する取付片２２２が２個づつ設けられている（図７参照）。さらに、基板ケース２２０には、後壁の左右側端部からそれぞれ前方へ突出された係合片２２４が２個づつ一体的に設けられている（図９参照／左側の係合片２２４は図示せず）。これらの係合片２２４は平板状で各々左右方向に弾性変形可能となっている。また、係合片２２４の先端部は基板ケース２２０の前面よりも前方へ突出されており、その先端部には外側へ突起したツメ部２２６が形成されている。
【００３８】
そしてこの基板ケース２２０は、図１０に示すように、基板ケース２２０の開口の内周縁部を、筐体２０４の後端の外周縁部に嵌め合わせ、図６及び図９に示すように、係合片２２４のツメ部２２６を、筐体２０４の矩形孔２１２にそれぞれ嵌め入れて係合させることにより筐体２０４の後部に装着されている。これによって、画像処理制御基板１６０は基板ケース２２０に被覆され保護されるとともに、基板ケース２２０の各取付片２１８は筐体２０４の各取付片２１０に重ね合わせられた状態となる。
【００３９】
またここでは、基板ケース２２０が透明樹脂製であるため、特別図柄表示装置１０６の後部側は基板ケース２２０を介して透視可能である。さらに、基板ケース２２０は筐体２０４に容易に着脱できるため、組立作業性及び故障やメンテナンス等での着脱作業性が良好になる。
【００４０】
また、本実施形態の特別図柄表示装置１０６は、上述した筐体２０４と基板ケース２２０とによって単一のケース部材が形成される。この筐体２０４及び基板ケース２２０から構成されるケース部材は、筐体２０４に設けられた小孔２０８や曲げ部２１４、あるいは、基板ケース２２０に設けられた係合片２２４等によって小さな開口部は存在するものの、筐体２０４の窓部２０６はＬＣＤ２０２によって塞がれており、また、基板ケース２２０の開口縁部を筐体２０４の後端縁部に嵌合（オーバーラップ）させて隙間が生じないようにしていることにより、ほぼ密閉された構造となっている。そしてこの略密閉構造のケース部材内に、前述したように、ＬＣＤ２０２及び画像処理制御基板１６０がユニット化されて収容されている。
【００４１】
次に、ＣＭＯＳカメラ２００の構成（取付構造）について説明する。図８及び図１０に示すように、本実施形態のＣＭＯＳカメラ２００は、矩形の薄板状で屈曲自在とされたフレキシブル基板２３０の一端部に表面実装されており、フレキシブル基板２３０の内部にフレキシブル基板２３０の長手方向に沿って直線状に形成された銅箔からなる複数（本実施形態では４本）の導電パターン２３１（図８（Ｂ）参照）と電気的に接続されて、フレキシブル基板２３０と一体化されている。また、フレキシブル基板２３０の他端部には、基板表面の絶縁樹脂層（保護層）から導電パターン２３１が一部露出して形成された接続部（コネクタ部）２３２が設けられている。さらに、フレキシブル基板２３０には、ＣＭＯＳカメラ２００と接続部２３２との間に位置する長手方向の所定部位に、ヒートシンク２８０が取り付けられている。
【００４２】
ヒートシンク２８０は、熱伝導率の高いアルミニウム合金によって形成されており、図８（Ａ）、（Ｂ）に示すように、平面視が矩形の平板状とされている。また、ヒートシンク２８０の長さ寸法Ｌ１は、詳細については後述するカメラ取付部材２３４の長さ寸法Ｌ２の１／２程度とされており、ヒートシンク２８０の幅寸法Ｗ１は、フレキシブル基板２３０の幅寸法Ｗ２よりも少し長くされている。
【００４３】
そしてこのヒートシンク２８０は、フレキシブル基板２３０に対し、幅方向の両側端部（左側端部２８０Ｌ及び右側端部２８０Ｒ）の突出量がほぼ均等となるよう、且つ、長手方向がフレキシブル基板２３０の長手方向と平行になるよう、位置決め治具等を用いて所定の位置に位置決めされ、熱伝導性の良好な接着剤（例えば、シリコーン系接着剤）、又は、熱伝導性の良好な粘着シート（例えば、樹脂フィルム上にシリコーン系粘着剤層が設けられた粘着シート）等により、下面２８０Ｂ（図１０参照）がフレキシブル基板２３０の上面（表面）２３０Ａに固着されている。
【００４４】
このように、ヒートシンク２８０は、フレキシブル基板２３０の上面２３０Ａに面接触して固着されており、さらに、フレキシブル基板２３０に設けられた複数の導電パターン２３１と交差する（本実施形態では略直交する）フレキシブル基板２３０の幅方向に亘ってフレキシブル基板２３０の上面２３０Ａと面接触している。つまり、このヒートシンク２８０は、フレキシブル基板２３０の内部に複数配線された全ての導電パターン２３１に重ね合わせられる大きさ及び形状とされ、その全ての導電パターン２３１に重ね合わせられて配置されている。
【００４５】
そしてこのＣＭＯＳカメラ２００は、カメラ取付部材２３４の前端部に配置されるとともに、カメラ取付部材２３４の前端部に取り付けられたカメラカバー２３６に覆われている。
【００４６】
このカメラ取付部材２３４とカメラカバー２３６とは、同材質の合成樹脂材料によって形成されている。図６に示すように、カメラ取付部材２３４は直線的なアーム状とされており、左右側面の後端部には一対の取付片２３８が突設され、下面の後端部には嵌入部２４０が突設されている（図１０参照）。
【００４７】
カメラ取付部材２３４の上面には、放熱部２７０が設けられている。放熱部２７０は、前後方向に延出され互いに所定の間隔で配列された３個の縦リブ２７２と、左右方向に延出され互いに所定の間隔で配列された３個の横リブ２７４とが、平面視格子状に配置されて構成され（図８参照）、これらの縦リブ２７２及び横リブ２７４により全体の表面積が大きくされている。
【００４８】
また、カメラ取付部材２３４の下部には空洞部２４２が形成されている。空洞部２４２は、カメラ取付部材２３４の前端部から嵌入部２４０の先端部に掛けてＬ字状に屈曲されて貫通しており、天井面２４２Ａの前後方向における略中央部位には凹陥部２４３が形成されている。この凹陥部２４３は、ヒートシンク２８０と対応する大きさの下方視（平面視）矩形状とされており、深さ寸法がヒートシンク２８０の厚さ寸法の１／３程度とされている。
【００４９】
そしてＣＭＯＳカメラ２００は、フレキシブル基板２３０の一端部の裏面に、弾力性を有する厚肉の粘着テープ２４４が貼着され、この粘着テープ２４４を介してカメラ取付部材２３４の前端部の所定位置に貼着されている。また、フレキシブル基板２３０はカメラ取付部材２３４の空洞部２４２に挿入され、接続部２３２が嵌入部２４０の先端部から引き出されており、ヒートシンク２８０は、上面２８０Ａ側が、空洞部２４２の天井面２４２Ａに形成された凹陥部２４３に嵌め込まれ、熱伝導性の良好な接着剤又は熱伝導性の良好な粘着シート等により、凹陥部２４３に固着されている。
【００５０】
一方、カメラカバー２３６は、正面視が矩形状で後面が開口された箱状とされており、前壁の略中央にはＣＭＯＳカメラ２００の撮影レンズ２０１と対応する円形の開口２４６が形成されている。また、この前壁の下部には、開口２４６の真下に位置して、上下方向に延出され所定の間隔で平行に配置された一対のリブ２４７が設けられており、さらに前壁の後面には、後方へ所定寸法突出されたリブ２４８が設けられている。そしてこのカメラカバー２３６は、図１０に示すように、ＣＭＯＳカメラ２００に被せられ、カメラ取付部材２３４の前端部に２本のネジ２５０によって取り付けられており、そのカメラ取付部材２３４への取付状態では、開口２４６の中心がＣＭＯＳカメラ２００の撮影レンズ２０１の光軸Ｌにほぼ一致するとともに、リブ２４８の後端部がフレキシブル基板２３０の表面に当接してフレキシブル基板２３０を押圧している。なお、ここでのカメラ取付部材２３４とカメラカバー２３６との位置決めについては、カメラ取付部材２３４の前端部に設けられた２箇所の突起部に、カメラカバー２３６に形成された２箇所の孔部が嵌め入れられる嵌挿部２５１によって行われている。これにより、ＣＭＯＳカメラ２００は、振動等による位置ずれが防がれてカメラ取付部材２３４及びカメラカバー２３６に固定されている。
【００５１】
このようにしてカメラ取付部材２３４及びカメラカバー２３６とユニット化されたＣＭＯＳカメラ２００は、特別図柄表示装置１０６の筐体２０４の上壁略中央に形成された孔部２５２にカメラ取付部材２３４の嵌入部２４０が嵌め入れられるとともに（図１０参照）、そのカメラ取付部材２３４の後部下面が筐体２０４の上壁に密着され各取付片２３８がネジ２５４によってそれぞれ筐体２０４の上壁に固定されることにより、特別図柄表示装置１０６に取り付けられている。また、嵌入部２４０から引き出されたフレキシブル基板２３０の引き出し部は、筐体２０４内に収容されてＬＣＤ２０２の後面側を引き回され、引き出し部先端の接続部２３２は、画像処理制御基板１６０の前面上部に実装されたコネクタ２５６に挿入されて電気的及び機械的に接続されている。
【００５２】
（遊技盤裏側の構成及び特別図柄表示装置の取付構造）
次に、図４、図５及び図１１、図１２を用いて遊技盤裏側の構成及び特別図柄表示装置の取付構造について説明する。
【００５３】
図４及び図５に示すように、遊技盤１００の裏面１００Ｂには、ほぼ中央に位置してセット板３００が取り付けられている。セット板３００は中央部分が矩形状に開口しており、特別図柄表示装置１０６は、その矩形状開口に筐体２０４（ＬＣＤ２０２）が嵌め入れられ、セット板３００に設けられた４本のボス３０２に、各取付片２１０、２２２がネジ止め固定されて取り付けられている。
【００５４】
また、セット板３００には、特別図柄表示装置１０６の右側にランプ制御基板１５６が配設され、特別図柄表示装置１０６の左側にランプ中継基板３０６が配設されており、遊技盤裏面１００Ｂの右上隅には、盤用外部端子板３０８が取り付けられている。さらに、セット板３００の下側には、内部が空洞とされた箱状の回路アダプター３０４が取り付けられている。この回路アダプター３０４には、主制御基板１５０が着脱可能に取り付けられており、また、回路アダプター３０４内には、大入賞口１１４や入賞口１１８Ｌ、１１８Ｒへ入賞し遊技盤１００の裏面１００Ｂ側に誘導された入賞球が落下され、図示しない排出口から下方へ排出されるようになっている。
【００５５】
また、図１１には、特別図柄表示装置１０６を遊技盤１００に取り付けた状態での特別図柄表示装置１０６と盤面飾り１０７との相対位置関係を示した側断面図が示されており、図１２には、遊技盤１００の拡大斜視図が示されている。図１１及び図１２に示すように、特別図柄表示装置１０６が遊技盤１００の裏面１００Ｂ側に取り付けられると、ＬＣＤ２０２のディスプレイ画面１０８は盤面飾り１０７に形成された矩形窓部２５８に位置合わせされ、カメラカバー２３６とカメラ取付部材２３４の前側は、盤面飾り１０７に取り付けられた筒状の装飾部材２６０内に収容されて装飾部材２６０により被覆・保護される。また、盤面飾り１０７の矩形窓部２５８は透明樹脂製（又は透明ガラス製）のカバー板２５９によって塞がれており、矩形窓部２５８の下側には、複数のランプ１３０が左右方向に所定の間隔で配列され、これらのランプ１３０は、光源となるＬＥＤ１３２が光透過性を有するカバーレンズ１３４に覆われて構成されている。
【００５６】
図１３〜図１６には、特別図柄表示装置１０６を遊技盤１００に取り付けた状態でのカメラカバー２３６及びカメラ取付部材２３４と装飾部材２６０との相対位置関係が示されている。
【００５７】
図１３〜図１６に示すように、装飾部材２６０は正面視が略半円形とされており、前壁２６０Ａには、前方へ拡径するテーパー状で且つ奥壁に円形孔２６２が形成されたフード部２６４が凹設されている（図１１参照）。このフード部２６４は、正面視が楕円形とされており、前方へ拡径するテーパーの内角は垂直方向断面において最小で、水平方向断面において最大となるよう設定されている。また、フード部２６４の奥壁の後面下部にはボス２６３が突設されており（図１１参照）、円形孔２６２は、カメラカバー２３６の開口２４６よりも大径とされている。そして、特別図柄表示装置１０６を遊技盤１００の裏面１００Ｂ側に取り付けると、装飾部材２６０のボス２６３がカメラカバー２３６に設けられた一対のリブ２４７の間に嵌まり込み、このボス２６３によってカメラカバー２３６及びカメラ取付部材２３４は支えられる。これにより、カメラカバー２３６及びカメラ取付部材２３４と装飾部材２６０との上下方向及び左右方向の相対的な位置決めがなされ、装飾部材２６０の円形孔２６２には、カメラカバー２３６の開口２４６を介しＣＭＯＳカメラ２００の撮影レンズ２０１の光軸Ｌが略同心的に配置される。
【００５８】
また、装飾部材２６０の下壁２６０Ｂの下面は略水平面とされており、この下壁２６０Ｂの下面は、盤面飾り１０７の窓部２０６の上縁に揃えられている。したがって、特別図柄表示装置１０６を遊技盤１００に取り付けると、その下壁２６０Ｂの下面は、ディスプレイ画面１０８の上縁に揃えられる（図１５参照）。さらに、装飾部材２６０に収容されたカメラカバー２３６及びカメラ取付部材２３４の前側と、装飾部材本体との間には、広い空間２６６が形成されている（図１４及び図１１参照）。
【００５９】
これにより、ＣＭＯＳカメラ２００は、遊技盤１００の遊技領域１０１内における特別図柄表示装置１０６の上部前方に配置されてパチンコ機１０の正面に着座する遊技者の顔と向かい合い、良好なカメラアングルで遊技者を撮影できるようになり、また、撮影方向前側（撮影レンズ２０１）が装飾部材２６０のフード部２６４及び装飾部材本体の囲われた状態となる。
【００６０】
（制御系の構成）
次に、図１７を用いてパチンコ機１０の制御系について説明する。図１７に示すように、本実施の形態に係るパチンコ機１０の制御系は、主制御基板１５０を中心として、払出制御基板１５２、音声制御基板１５４、ランプ制御基板１５６、発射制御基板１５８、画像処理制御基板１６０等、機能毎に分類されており、各基板は主制御基板１５０にそれぞれ接続されている。また、画像処理制御基板１６０は、ＣＭＯＳカメラ２００の動作等を制御する撮像制御部１６２と、特別図柄表示装置１０６の表示内容を制御する表示制御部１６４とを備えている。なお、以下これらを総称する場合、副制御基板１５１という。
【００６１】
主制御基板１５０には、遊技に関する基本的なプログラムが記憶されており、この主制御基板１５０からの命令信号に基づいて、副制御基板１５１は独自に各部を制御する。すなわち、主制御基板１５０は基本的に命令信号を出力するのみで、その結果等のフィードバックは受けない構成となっている。
【００６２】
また、主制御基板１５０並びに副制御基板１５１は、管理制御基板１７０を介してパチンコ店側のホールコンピュータ１７２に接続することができ、これにより、パチンコ機１０の稼動状況を管理することも可能となっている。
【００６３】
以下、副制御基板１５１の制御内容について説明すると、払出制御基板１５２は、パチンコ機１０内に装備された賞球払出装置１８０を作動させて賞球の払い出し・停止動作及び払出数を制御し、音声制御基板１５４は、内枠１４前面に設けられたスピーカー８６、８８を作動させて効果音等の出力を制御する。ランプ制御基板１５６は、内枠１４の表示灯８０、賞球払出エラー表示灯８２、払出状態エラー表示灯８４、並びに、遊技盤１００に設けられた各種表示灯の点灯・消灯を制御し、発射制御基板１５８は、遊技者による発射ハンドル３４の操作により発射装置４０を作動させて遊技球の発射を制御する。
【００６４】
また、図柄表示制御基板１６０の撮像制御部１６２は、主制御基板１５０からの撮影指示（タイミング信号）により、ＣＭＯＳカメラ２００による撮影を実行させる。詳細には、ＣＭＯＳカメラ２００の撮影レンズ２０１により結像された被写体（遊技者）の光学像を撮像デバイス（ＣＭＯＳイメージセンサ）で電気信号（アナログ信号）に変換し、撮像制御部１６２では、撮像デバイスからフレキシブル基板２３０を介し伝送された出力信号に基づき、Ａ／Ｄコンバータ等の信号処理回路で被写体像を示すデジタル画像データを生成する。さらにこのデジタル画像データは、撮像制御部１６２内の画像処理回路（マイクロプロセッサ）による所定の画素補間処理や色変換処理等を経て画像蓄積用メモリに記憶され、これと並行して表示制御部１６４に出力される。
【００６５】
表示制御部１６４は、表示ドライバ１８２を介して特別図柄表示装置１０６のディスプレイ画面１０８に表示する特別図柄抽選や各種演出アニメーション等の表示内容を制御し、また、普通図柄表示装置１１７に表示する普通図柄抽選の表示内容を制御する。さらに表示制御部１６４は、主制御基板１５０からの画像合成指示（タイミング信号）により、撮像制御部１６２から入力されたデジタル画像データを特別図柄表示装置１０６に表示する上記表示内容の映像データに合成して、例えば、当り図柄表示後のアニメーションに、撮影した遊技者のバストアップ画像を合成するなどして表示する。
【００６６】
また、特別図柄と普通図柄の抽選では、主制御基板１５０において、乱数カウンタを用い所定確率のもとに当たり／外れを決定する抽選処理が各々実行され、主制御基板１５０はその抽選結果に基づく判定信号を画像処理制御基板１６０の表示制御部１６４へ出力する。表示制御部１６４では、予め記憶されている複数種類の図柄変動パターン等の表示内容データの中から、入力された判定信号に対応する表示内容データが選択される。特別図柄表示装置１０６及び普通図柄表示装置１１７は、その表示内容データに基づく信号が画像処理制御基板１６０の表示制御部１６４から各々入力されて作動するようになっている。
【００６７】
また、主制御基板１５０には、遊技盤１００に設けられた各種遊技部品の駆動源や入賞球を検出するセンサ類が接続されている。
【００６８】
駆動源としては、始動口１１０の電動チューリップ１１１を駆動するソレノイド１８４、大入賞口１１４の開閉扉７６を開放・閉塞させるソレノイド１８６がそれぞれ接続されており、これらのソレノイド１８４、１８６は、主制御基板１５０から駆動信号がそれぞれ入力され制御される。
【００６９】
また、入賞検出センサとしては、始動口１１０への入賞球を検出する始動口入賞センサ（第１種始動口入賞センサ）１９０、大入賞口１１４への入賞球を検出する大入賞口センサ１９２、大入賞口１１４内のＶゾーンへの入賞球を検出するＶゾーンセンサ１９４、通過ゲート１２０に設けられた通過ゲート入賞センサ１９６、入賞口１１８Ｌ、１１８Ｒへの入賞球を検出するにそれぞれの入賞口センサ１９８がそれぞれ接続されており、これらの各センサは、入賞球の検出時にその検出信号を主制御基板１５０へ出力する。そしてこれらの検出信号に基づき、主制御基板１５０が副制御基板１５１及び上記駆動源へ各種信号を出力することにより、パチンコ機１０は所定の動作をするようになっている。
【００７０】
（パチンコ機の遊技仕様）
パチンコ機１０による遊技では、遊技者が発射ハンドル３４を操作すると、球皿２８に貯えられている遊技球は球送り装置３８により一球づつ発射装置４０に供給され、発射装置４０によって上方へ発射される（図１の矢印Ａ方向）。発射された遊技球は、外レール１０２に沿って遊技盤１００の遊技領域１０１に打ち込まれ、遊技釘に当たり方向を変えながら遊技領域１０１内を落下する。そして、入賞せずに遊技領域１０１の下端部に至った遊技球はアウト口１２４からパチンコ機１０内に回収される。
【００７１】
また、遊技球が入賞口１１８に入賞すると、賞球払出装置が作動して所定数（例えば５個）の賞球を払い出し、その払い出された賞球は、貯球タンク４２内を通りタンク出口４４を介して賞球排出口４６から球皿２８に排出される。
【００７２】
さらに、始動口１１０へ入賞すると、主制御基板１５０において当たり／外れの抽選処理が実行され、その抽選結果は、特別図柄表示装置１０６のディスプレイ画面１０８に、配列された複数の特別図柄が所定のパターンで変動されその変動パターンを経た停止図柄の組み合わせによって表示される。なお、この特別図柄の変動パターンには、例えば、リーチを経た当たり図柄の表示又は外れ図柄の表示、あるいはリーチなしの外れ図柄表示など、様々な演出や趣向を加味した数多くのパターンが用意されており、遊技者は、それらの演出を受け特別図柄の抽選結果を期待感も持って観察する。
【００７３】
そして、抽選結果が「大当たり」となった場合は、特別図柄表示装置１０６のディスプレイ画面１０８に、例えば、リーチ・アクションを経て「５５５」等の予め定められた所定の当たり図柄の組み合わせが表示されるとともに、表示灯８０及びランプ１３０の点滅やスピーカー８６、８８からの効果音出力などによる演出を加えて、大当たりが発生したことを遊技者に報知し、所定の大当たり動作を実行する。
【００７４】
さらに、この当たり図柄を表示したタイミングで、ＣＭＯＳカメラ２００による遊技者の撮影が実行され、ディスプレイ画面１０８に表示される当り図柄表示後のアニメーションには、遊技者のバストアップ画像が合成されて表示される。これにより、遊技者は、特別図柄表示装置１０６のディスプレイ画面１０８に表示された自分の喜びの表情などの画像を視認して、遊技への興趣が高められる。
【００７５】
また、大当たり動作としては、大入賞口１１４が、例えば１０カウント（入賞個数）又は最大３０秒間（１回の開放時間）／最高１６ラウンド（継続回数）開放されるとともに、１回の大入賞口１１４開放時に大入賞口１１４内のＶゾーンへの入賞を果たすことで次ラウンドを継続するといった動作が行われる。これにより、遊技者は、発射した遊技球を大入賞口１１４へ容易に入賞させ、例えば入賞１個当たり１５個の払い出しを受けるなどして、大量の賞球を獲得できるようになる。そして大量の賞球払い出しにより球皿２８が満杯になると、球皿２８に貯え切れなくなった分の賞球は貯球タンク４２内に貯球される。
【００７６】
また、当たり図柄が、例えば「７７７」等の予め定められた特定の図柄の組み合わせとなった場合には、上述した大当たり動作の終了後に、次の大当たり確率がアップする「確率変動機能」、あるいは大当たり確率は変わらないが普通図柄表示装置１１７の回転時間が短縮され始動口１１０が開放し易くなって球持ちをよくする「時短機能」といった付加機能が作動して、遊技者にとって有利な遊技状態が展開される。
【００７７】
次に、本実施形態の作用・効果について説明する。
【００７８】
本実施の形態では、パチンコ機１０の動作時に特別図柄表示装置１０６の画像処理制御基板１６０が高温になると、その熱はフレキシブル基板２３０の接続部２３２側からＣＭＯＳカメラ２００側へ伝導される。そしてその熱は、フレキシブル基板２３０を伝導される途中で、ヒートシンク２８０に吸収（伝導）され、一部がヒートシンク２８０から空洞部２４２内の雰囲気へ放散される。また、残りの熱は、ヒートシンク２８０からカメラ取付部材２３４に吸収（伝導）され、カメラ取付部材２３４の表面全体から遊技盤１００の裏面１００Ｂ側の雰囲気２８２（図１１参照）へ放散される。特にここでは、表面積が大きくされた放熱部２７０は雰囲気２８２との接触面積が大きくなっているため、他の部位に比べて放散される熱量の割合が大きくなる。これにより、フレキシブル基板２３０を介しＣＭＯＳカメラ２００へ伝導される熱量が減少し、ＣＭＯＳカメラ２００は間接的に冷却される。したがって、ＣＭＯＳカメラ２００の温度上昇が抑えられ誤作動や撮影画像の画質低下を防止することができる。
【００７９】
また、ここでは、上述したように、ＣＭＯＳカメラ２００を特別図柄表示装置１０６に取り付けるためのカメラ取付部材２３４にヒートシンク２８０を接触させていることにより、ヒートシンク２８０の熱がカメラ取付部材２３４へ伝導可能となる。このカメラ取付部材２３４に放熱部２７０を設け、ヒートシンク２８０から伝導される熱を放散することにより、ＣＭＯＳカメラ２００の放熱は促進され冷却効果が高められる。
【００８０】
また、本実施の形態では、ヒートシンク２８０をフレキシブル基板２３０の表面（上面２３０Ａ）に面接触させて固着している。このように、フレキシブル基板２３０とヒートシンク２８０を面接触させていることで、フレキシブル基板２３０からヒートシンク２８０へ伝導される熱の熱伝導効率を向上することができる。
【００８１】
さらに、本実施の形態では、フレキシブル基板２３０に設けられた導電パターン２３１は高い熱伝導性を有するため、動作時に高温となった画像処理制御基板１６０からフレキシブル基板２３０へ伝導された熱は、その多くが導電パターン２３１によって伝導される。これに対し、ヒートシンク２８０を、フレキシブル基板２３０の導電パターン２３１と交差するフレキシブル基板２３０の幅方向に亘ってフレキシブル基板２３０の表面と面接触させていることにより、導電パターン２３１に沿って伝導される熱はヒートシンク２８０に効率よく吸収・放散され、フレキシブル基板２３０の冷却効果が向上する。したがって、フレキシブル基板２３０を介してＣＭＯＳカメラ２００へ伝導される熱量を更に減少させることができ、ＣＭＯＳカメラ２００の温度上昇幅を低く抑えることができる。
【００８２】
［第２の実施形態］
次に、本発明の第２の実施形態について説明する。この第２の実施形態は、ＣＭＯＳカメラ２００を冷却するための放熱部材（ヒートシンク）の形状及び設置箇所を変更したものであるが、上記第１の実施形態で説明した構成と同一構成については同じ符合を付してその説明を省略する。
【００８３】
図１８には、本発明の第２の実施形態に係るＣＭＯＳカメラ２００をカメラ取付部材２３４及びカメラカバー２３６に取り付けた状態での側断面図が示されている。図１８に示すように、本実施形態では、ＣＭＯＳカメラ２００の前面２００Ａにヒートシンク２９０が取り付けられている。
【００８４】
このヒートシンク２９０は、アルミニウム合金製で薄板状に形成されており、正面視の略中央に、ＣＭＯＳカメラ２００の撮影レンズ２０１と対応する円形孔２９２が形成されている。また、ＣＭＯＳカメラ２００へは、円形孔２９２に撮影レンズ２０１が嵌め込まれ、後面２９０ＢをＣＭＯＳカメラ２００の前面２００Ａに密着させた状態で、熱伝導性の良好な接着剤等により固着されている。そして、ＣＭＯＳカメラ２００をカメラ取付部材２３４及びカメラカバー２３６に取り付けた状態では、ヒートシンク２９０の前面２９０Ａは、カメラカバー２３６の前壁２３６Ａの後面（内面）に密着している。
【００８５】
これにより、フレキシブル基板２３０からＣＭＯＳカメラ２００へ伝導された熱は、ヒートシンク２９０に吸収（伝導）され、その熱の一部がヒートシンク２９０からカメラカバー２３６内の雰囲気２９４へ放散される。また、残りの熱は、ヒートシンク２９０からカメラカバー２３６に吸収（伝導）され、さらにカメラ取付部材２３４へも伝導されて、カメラカバー２３６の表面全体、及び、カメラ取付部材２３４の表面や放熱部２７０から、装飾部材２６０内の空間２６６の雰囲気（図１１参照）、及び、遊技盤１００の裏面１００Ｂ側の雰囲気２８２へ放散される。
【００８６】
このように、本実施形態では、ＣＭＯＳカメラ２００がヒートシンク２９０により直接冷却されて、温度上昇が抑えられる。またこのヒートシンク２９０は、ＣＭＯＳカメラ２００を特別図柄表示装置１０６に取り付けるための取付部材を構成するカメラカバー２３６に接触していることにより、ヒートシンク２９０の熱がカメラカバー２３６を介し、放熱部２７０を備えるカメラ取付部材２３４へ伝導可能となる。したがって、ヒートシンク２９０から伝導される熱は放熱部２７０からも放散されることになり、ＣＭＯＳカメラ２００の放熱は促進され冷却効果が高められる。
【００８７】
［第３の実施形態］
次に、本発明の第３の実施形態について説明する。第３の実施形態も、ＣＭＯＳカメラ２００を冷却する放熱部材の形状及び設置箇所を変更したものであるが、第１の実施形態で説明した構成と同一構成については同じ符合を付してその説明を省略する。
【００８８】
図１９には、本発明の第３の実施形態に係るＣＭＯＳカメラ２００をカメラ取付部材２３４及びカメラカバー２３６に取り付けた状態での側断面図が示されている。図１９に示すように、本実施形態では、ＣＭＯＳカメラ２００の前部（大径部）に放熱部材２９５が取り付けられている。
【００８９】
この放熱部材２９５は、シリコーン系又はアクリル系合成ゴム等の熱伝導率の高い弾性材料によって環状に形成されており、内径は、ＣＭＯＳカメラ２００前部の外径と略同じ又は外径よりも少し小さくされ、前後方向の長さ寸法（厚さ寸法）は、ＣＭＯＳカメラ２００前部の前後方向の長さ寸法に合わせられている。また、ＣＭＯＳカメラ２００の前部へは、空洞部を嵌め込ませることによって取り付けられており、したがってその取付状態では、径方向に拡大変形した放熱部材２９５全体に弾性力による収縮方向への復元力が生じ、その収縮方向への力によるＣＭＯＳカメラ２００前部の外周面２００Ｂとの摩擦力によって、ＣＭＯＳカメラ２００の前部に保持されている。
【００９０】
また、ＣＭＯＳカメラ２００をカメラ取付部材２３４及びカメラカバー２３６に取り付けた状態では、放熱部材２９５の前端面は、カメラカバー２３６の前壁２３６Ａの後面（内面）に密着しており、また、放熱部材２９５の外周面は、カメラカバー２３６の下壁２３６Ｂ上面及び上側のリブ２４８下面と、図１９では図示しないカメラカバー２３６の左右側壁のそれぞれの内面とに密着している。
【００９１】
これにより、フレキシブル基板２３０からＣＭＯＳカメラ２００へ伝導された熱は、放熱部材２９５に吸収（伝導）され、その熱の一部が放熱部材２９５からカメラカバー２３６内の雰囲気２９４へ放散される。また、残りの熱は、放熱部材２９５からカメラカバー２３６に吸収（伝導）され、カメラ取付部材２３４へも伝導されて、カメラカバー２３６の表面全体、及び、カメラ取付部材２３４の表面や放熱部２７０から、装飾部材２６０内の空間２６６の雰囲気、及び、遊技盤１００の裏面１００Ｂ側の雰囲気２８２へ放散される。
【００９２】
このように、本実施形態の場合も、第２実施形態と同じく、ＣＭＯＳカメラ２００が放熱部材２９５により直接冷却されて、温度上昇が抑えられる。またここでも、放熱部材２９５がカメラカバー２３６に接触していることにより、放熱部材２９５の熱はカメラカバー２３６を介し、カメラ取付部材２３４へ伝導され、カメラ取付部材２３４の放熱部２７０からも放散される。そのため、ＣＭＯＳカメラ２００の放熱は促進され冷却効果が高められる。
【００９３】
また、この放熱部材２９５は、接着等を用いなくてもＣＭＯＳカメラ２００に取り付けられるため、取付作業が容易となる。
【００９４】
以上、本発明を上述した第１〜第３の実施形態により詳細に説明したが、本発明はそれに限定されるものではなく、本発明の範囲内にて他の種々の実施形態が可能である。
【００９５】
例えば、ＣＭＯＳカメラ２００をカメラ取付部材２３４に固定するための粘着テープ２４４に熱伝導性の良好なものを用いたり、あるいは、カメラ取付部材２３４及びカメラカバー２３６を熱伝導率の高いエポキシ系の合成樹脂材料やアルミニウム等の金属材料で形成することにより、ＣＭＯＳカメラ２００の冷却効果を更に高めることも可能である。
【００９６】
また、配線の種類については、上述したフレキシブル基板２３０に限らず、通常用いる導電線などの他の配線に置き換えてもよい。ＣＭＯＳカメラ２００の設置箇所については、特別図柄表示装置１０６の上側以外に、例えば、特別図柄表示装置１０６の右側の空きスペース、あるいは、内枠１４の前面などの他の位置に設置することも可能である。
【００９７】
また、本発明は、パチンコ機に限らずパチスロ機等の他の遊技機に搭載されるカメラにも適用することがきる。
【００９８】
【発明の効果】
本発明の遊技機は上記構成としたので、遊技者を撮影しその画像を表示する撮影・表示機能を備えた遊技機において、撮影手段の温度上昇が抑えられ誤作動や撮影画像の画質低下を防止できる。
【図面の簡単な説明】
【図１】本発明の第１の実施形態に係るパチンコ機を示した斜視図である。
【図２】本発明の第１の実施形態に係るパチンコ機を示した正面図である。
【図３】本発明の第１の実施形態に係る遊技盤を示した正面図である。
【図４】本発明の第１の実施形態に係る遊技盤を示した裏面図である。
【図５】本発明の第１の実施形態に係る遊技盤を示した右側面図である。
【図６】本発明の第１の実施形態に係る特別図柄表示装置にカメラが搭載された状態を示した斜視図である。
【図７】本発明の第１の実施形態に係る特別図柄表示装置にカメラが搭載された状態を示した正面図である。
【図８】（Ａ）は本発明の第１の実施形態に係る特別図柄表示装置にカメラが搭載された状態を示した平面図であり、（Ｂ）は（Ａ）の状態におけるカメラ、フレキシブル基板、及びヒートシンクの関係を示した部分拡大平面図である。
【図９】本発明の第１の実施形態に係る特別図柄表示装置にカメラが搭載された状態を示した右側面図である。
【図１０】図７の１０−１０線断面図である。
【図１１】本発明の第１の実施形態に係るカメラが搭載された特別図柄表示装置を遊技盤に取り付けた状態での特別図柄表示装置及びカメラとガラス板との相対位置関係を示した縦断面図である。
【図１２】本発明の第１の実施形態に係る遊技盤を示した斜視図である。
【図１３】本発明の第１の実施形態に係るカメラが搭載された特別図柄表示装置を遊技盤に取り付けた状態での特別図柄表示装置と装飾部材との相対位置関係を示した正面側から見た斜視図である。
【図１４】本発明の第１の実施形態に係るカメラが搭載された特別図柄表示装置を遊技盤に取り付けた状態での特別図柄表示装置と装飾部材との相対位置関係を示した裏面側から見た斜視図である。
【図１５】本発明の第１の実施形態に係るカメラが搭載された特別図柄表示装置を遊技盤に取り付けた状態での特別図柄表示装置と装飾部材との相対位置関係を示した正面図である。
【図１６】本発明の第１の実施形態に係るカメラが搭載された特別図柄表示装置を遊技盤に取り付けた状態での特別図柄表示装置と装飾部材との相対位置関係を示した平面図である。
【図１７】本発明の第１の実施形態に係るパチンコ機の制御系の概略構成を示したブロック図である。
【図１８】本発明の第２の実施形態に係るヒートシンクが取り付けられたカメラをカメラ取付部材及びカメラカバーに取り付けた状態を示した部分縦断面図である。
【図１９】本発明の第３の実施形態に係る放熱部材が取り付けられたカメラをカメラ取付部材及びカメラカバーに取り付けた状態を示した部分縦断面図である。
【符号の説明】
１０        パチンコ機（遊技機）
１００        遊技盤
１００Ａ      盤面
１０６        特別図柄表示装置（画像表示手段）
２００        ＣＭＯＳカメラ（撮影手段）
２３４        カメラ取付部材（取付部材）
２３６        カメラカバー（取付部材）
２７０        放熱部
２７２        縦リブ
２７４        横リブ
２８０        ヒートシンク（放熱部材）
２９０        ヒートシンク（放熱部材）
２９５        放熱部材
【図１】
2004267427.tif 000003
【図２】
2004267427.tif 000004
【図３】
2004267427.tif 000005
【図４】
2004267427.tif 000006
【図５】
2004267427.tif 000007
【図６】
2004267427.tif 000008
【図７】
2004267427.tif 000009
【図８】
2004267427.tif 000010
【図９】
2004267427.tif 000011
【図１０】
2004267427.tif 000012
【図１１】
2004267427.tif 000013
【図１２】
2004267427.tif 000014
【図１３】
2004267427.tif 000015
【図１４】
2004267427.tif 000016
【図１５】
2004267427.tif 000017
【図１６】
2004267427.tif 000018
【図１７】
2004267427.tif 000019
【図１８】
2004267427.tif 000020
【図１９】
2004267427.tif 000021